(57)【要約】【課題】長尺状の野菜を好適に収容可能とする。【解決手段】長尺状の野菜を収容するための容器であって、全体としてほぼ鉛直方向に延びる容器本体５２０を有し、その容器本体５２０は、水平方向において一対の分割筒状体５２０ａ，５２０ｂがヒンジ５２４を介して閉状態と開状態との間を変位可能に結合されて形成されている。この長尺状野菜収容容器は、その高さ方向における少なくとも一部において、下方から上方に向かうにつれて、各高さ位置における最も手前側の部分が奥方向に向かうように鉛直から傾斜しており、下方から上方に向かうにつれて奥行寸法が短くされている。【選択図】図１５
2010036985.tif 000002
【特許請求の範囲】
【請求項１】
長尺状の野菜を収容するための容器であって、
全体としてほぼ鉛直方向に延びる容器本体を有し、
その容器本体は、水平方向において一対の分割筒状体がヒンジを介して閉状態と開状態との間を変位可能に結合されて形成されている、
長尺状野菜収容容器。
【請求項２】
長尺状の野菜を収容するための容器であって、
全体としてほぼ鉛直方向に延びる容器本体を有し、
その容器本体は、そのうちの上側の部分に該当する上部筒状体と、そのうちの下側の部分に該当する下部筒状体とからなり、
前記上部筒状体及び前記下部筒状体のうちの一方である小断面筒状体は、他方である大断面筒状体よりも若干小さな断面を有し、
前記小断面筒状体が前記大断面筒状体に対して挿入された状態で、前記上部筒状体と前記下部筒状体とが結合される、
長尺状野菜収容容器。
【請求項３】
請求項２に記載の長尺状野菜収容容器であって、
前記容器本体は、前記小断面筒状体が前記大断面筒状体に対して挿入された状態で前記上部筒状体と前記下部筒状体とが結合される際における当該挿入長さが複数存在し、当該容器本体の高さが調整可能である、
長尺状野菜収容容器。
【請求項４】
請求項１〜請求項３のいずれかに記載の長尺状野菜収容容器であって、
前記容器本体には、当該容器本体の内部と外部とを連通させるとともに取付材が取り付けられる通気兼取付用孔部が形成されている、
長尺状野菜収容容器。
【請求項５】
長尺状の野菜を収容するための容器であって、
全体としてほぼ鉛直方向に延びる容器本体を有し、
その容器本体は、そのうちの上側の部分に該当する上部筒状体と、そのうちの下側の部分に該当する下部筒状体とからなり、
前記上部筒状体は、水平方向において一対の上部分割筒状体がヒンジを介して閉状態と開状態との間を変位可能に結合されて形成されており、
前記下部筒状体は、水平方向において一対の下部分割筒状体がヒンジを介して閉状態と開状態との間を変位可能に結合されており、
前記上部筒状体及び前記下部筒状体のうちの一方である小断面筒状体は、他方である大断面筒状体よりも若干小さな断面を有し、
前記上部筒状体及び前記下部筒状体のうちの少なくとも一方には、当該容器本体の内部と外部とを連通させるとともに取付材が取り付けられる通気兼取付用孔部が、当該容器本体の長さ方向に沿って複数形成され、
前記上部筒状体及び前記下部筒状体のうちの他方には、前記通気兼取付用孔部に対応する結合用凸部が形成されており、
前記結合用凸部が前記上部筒状体及び前記下部筒状体のうちの前記一方の複数の通気兼取付用孔部のうちのいずれかに嵌合されることに基づいて、閉状態の前記小径筒状体が閉状態の前記大径筒状体に対して挿入された状態で、前記上部筒状体と前記下部筒状体とが結合される、
長尺状野菜収容容器。
【請求項６】
請求項１〜請求項５のいずれかに記載の長尺状野菜収容容器であって、
前記容器本体の底部は多孔性をなし、
前記容器本体の下部には、水分を貯蔵し前記容器本体の底部を通して前記容器本体内の長尺状野菜に水分を補給する水分補給タンクが設けられている、
長尺状野菜収容容器。
【請求項７】
請求項１に記載の長尺状野菜収容容器であって、
前記容器本体の下部には、水分を貯蔵し前記容器本体内の長尺状野菜に水分を補給する水分補給タンクが設けられ、
その水分補給タンクは、前記水平方向において一対の分割筒状体のうちの一方のうちの下部の内側にのみ取り付けられ、他方には取り付けられていない、
長尺状野菜収容容器。
【請求項８】
請求項５に記載の長尺状野菜収容容器であって、
前記容器本体の下部には、水分を貯蔵し前記容器本体内の長尺状野菜に水分を補給する水分補給タンクが設けられ、
その水分補給タンクは、前記水平方向において一対の下部分割筒状体のうちの一方のうちの下部の内側にのみ取り付けられ、他方には取り付けられていない、
長尺状野菜収容容器。
【請求項９】
請求項１〜請求項８のいずれかに記載の長尺状野菜収容容器であって、
その高さ方向における少なくとも一部において、下方から上方に向かうにつれて奥行寸法が短くされている、
長尺状野菜収容容器。
【請求項１０】
請求項９に記載の長尺状野菜収容容器であって、
その高さ方向における少なくとも一部において、下方から上方に向かうにつれて、各高さ位置における最も手前側の部分が奥方向に向かうように鉛直から傾斜している、
長尺状野菜収容容器。
【発明の詳細な説明】
【技術分野】
【０００１】
本発明は、細長い野菜を収容する容器に関するものである。
【背景技術】
【０００２】
一般の家庭等においては、野菜は、冷蔵庫等に収容して保存される場合が多い。
そのために、一般の冷蔵庫には、野菜を収容するのに適したいわゆる野菜室が設けられている。
【０００３】
すなわち、冷蔵庫は、全体として縦長の直方体状をしており、本体部、及び、扉を有している。扉に代わって、本体部の一部に対応して、引出しが設けられているものもある。
本体部（その内部）は、縦方向に、複数の部屋又は棚に分割されている。扉は、本体部の全て又は一部の部屋に対して、その部屋ごとに（複数の棚を有する部屋においては、その複数の棚にまたがって）、閉位置と開位置との間を回動可能に設けられている。引出しは、本体部の一部の部屋に対して、その部屋ごとに、閉位置と開位置との間を移動可能に設けられている。
そして、本体部のうちの一部の部屋が野菜室とされたり、本体部のうちの一部の棚の部分に野菜室が形成されている。
【０００４】
ところで、野菜には数多くの種類があり、その種類によって形状及び大きさはさまざまである。
野菜のうち、ネギ，ゴボウ等は、細長い形状をしている（すなわち、長尺状をしている）。
そして、かかる長尺状の野菜は、そのままでは野菜室に入らない。前述したように、冷蔵庫が縦方向に分割されて野菜室が形成されているために、一般的に野菜室の最大寸法は冷蔵庫の幅に対応し、それ以上の長さの野菜は、そのままでは入らないのである。
このため、長尺状の野菜を野菜室に入れるためには、切断したり、曲げたりする（曲がる場合）必要があるが、それでは、野菜が傷んでしまう。
【０００５】
また、野菜室に入る長さの場合であっても、特に長尺状の野菜は、野菜室の形状（上述）から、野菜室には横にして入れる（ほぼ水平に延びる状態で収容する）必要がある。
しかしながら、縦方向に長い野菜（正確には、ほぼ鉛直方向に長く延びる状態で生育する野菜）の場合は、本来的には、縦にした状態（すなわち、生育していた状態のまま）で保存することが望ましいとされている。
このように、縦方向に長尺状の野菜については、横にすれば野菜室に入るとしても、それはあまり好ましくないことであり、縦（ほぼ鉛直）にした状態では野菜室に入らないという場合もある。
【０００６】
なお、本発明の属する技術分野において、特許文献１に開示された先行技術も存在する。
【先行技術文献】
【特許文献】
【０００７】
【特許文献１】特開２００６−２６４７４０号公報
【発明の概要】
【発明が解決しようとする課題】
【０００８】
本発明は、長尺状の野菜（特に、縦方向に長尺状の野菜）を好適に収容することができる容器を提供することを課題とする。
【課題を解決するための手段】
【０００９】
この課題を解決するために、請求項１に係る発明は、長尺状の野菜を収容するための容器であって、全体としてほぼ鉛直方向に延びる容器本体を有し、その容器本体は、水平方向において一対の分割筒状体がヒンジを介して閉状態と開状態との間を変位可能に結合されて形成されている、長尺状野菜収容容器である。
【００１０】
「水平方向において一対」とは、「左右に一対」「前後に一対」等を意味するものである。このことは、他の請求項においても同様である。
一対の分割筒状体とヒンジ（その回動軸）とは別体であってもよいし、一方の分割筒状体とヒンジ（ヒンジ部）と他方の分割筒状体とが一体的に形成されていてもよい。このことは、他の請求項に係る発明においても同様である。
【００１１】
この発明の長尺状野菜収容容器では、容器本体が開状態とされた状態で、その容器本体の内部にネギ等の長尺状野菜が収容され、その容器本体は閉状態とされる。
そして、その長尺状野菜収容容器が冷蔵庫の内部において縦に（ほぼ鉛直に）配置されることによって、ネギ等の長尺状野菜が、容器に収容された状態で、かつ、ほぼ鉛直の状態で、冷蔵庫の内部に収容され得る。
なお、この発明の長尺状野菜収容容器は、冷蔵庫の内部に限らず、他の場所に配置されてもよい。このことは他の請求項に係る発明においても同様である。
【００１２】
請求項２に係る発明は、長尺状の野菜を収容するための容器であって、全体としてほぼ鉛直方向に延びる容器本体を有し、その容器本体は、そのうちの上側の部分に該当する上部筒状体と、そのうちの下側の部分に該当する下部筒状体とからなり、前記上部筒状体及び前記下部筒状体のうちの一方である小断面筒状体は、他方である大断面筒状体よりも若干小さな断面を有し、前記小断面筒状体が前記大断面筒状体に対して挿入された状態で、前記上部筒状体と前記下部筒状体とが結合される、長尺状野菜収容容器である。
【００１３】
この発明の長尺状野菜収容容器では、上部筒状体と下部筒状体とが分離された状態で、両者のうちのいずれかの内部にネギ等の長尺状野菜が収容され、両者のうちの一方（例えば小断面筒状体）が他方（例えば大断面筒状体）に対して挿入され、両者が結合される。
そして、その長尺状野菜収容容器が冷蔵庫の内部において縦に（ほぼ鉛直に）配置されることによって、ネギ等の長尺状野菜が、容器に収容された状態で、かつ、ほぼ鉛直の状態で、冷蔵庫の内部に収容され得る。
【００１４】
請求項３に係る発明は、請求項２に係る発明の長尺状野菜収容容器であって、前記容器本体は、前記小断面筒状体が前記大断面筒状体に対して挿入された状態で前記上部筒状体と前記下部筒状体とが結合される際における当該挿入長さが複数存在し、当該容器本体の高さが調整可能である、長尺状野菜収容容器である。
【００１５】
この発明の長尺状野菜収容容器では、請求項２に係る発明の長尺状野菜収容容器の作用効果に加えて、次の作用効果が得られる。
すなわち、この長尺状野菜収容容器では、上部筒状体及び下部筒状体のうちの一方が他方に対して挿入された状態で両者が結合される際における当該挿入長さが複数存在し、容器本体の高さが調整可能であるため、容器本体内に収容されるネギ等の長尺状野菜の長さ（高さ）に応じて容器本体の高さが調整されることによって、必要以上に長尺状野菜収容容器の高さが高くなることが防止され、省スペース化が図られる。
【００１６】
請求項４に係る発明は、請求項１〜請求項３のいずれかに係る発明の長尺状野菜収容容器であって、前記容器本体には、当該容器本体の内部と外部とを連通させるとともに取付材が取り付けられる通気兼取付用孔部が形成されている、長尺状野菜収容容器である。
【００１７】
この発明の長尺状野菜収容容器では、請求項１〜請求項３のいずれかに係る発明の長尺状野菜収容容器の作用効果に加えて、次の作用効果が得られる。
この発明の長尺状野菜収容容器では、容器本体に通気兼取付用孔部が形成されているために、容器本体の内部の空気が外部の空気と入れ替わり、容器本体の内部に収容された長尺状野菜の呼吸が妨げられることが防止され、その長尺状野菜をより長期にわたって保存することが可能となる。
それとともに、その通気兼取付用孔部において取付材が取り付けられ、その取付材によって、この長尺状野菜収容容器が、冷蔵庫の内部等において取り付けられることが可能となる。
【００１８】
請求項５に係る発明は、長尺状の野菜を収容するための容器であって、全体としてほぼ鉛直方向に延びる容器本体を有し、その容器本体は、そのうちの上側の部分に該当する上部筒状体と、そのうちの下側の部分に該当する下部筒状体とからなり、前記上部筒状体は、水平方向において一対の上部分割筒状体がヒンジを介して閉状態と開状態との間を変位可能に結合されて形成されており、前記下部筒状体は、水平方向において一対の下部分割筒状体がヒンジを介して閉状態と開状態との間を変位可能に結合されており、前記上部筒状体及び前記下部筒状体のうちの一方である小断面筒状体は、他方である大断面筒状体よりも若干小さな断面を有し、前記上部筒状体及び前記下部筒状体のうちの少なくとも一方には、当該容器本体の内部と外部とを連通させるとともに取付材が取り付けられる通気兼取付用孔部が、当該容器本体の長さ方向に沿って複数形成され、前記上部筒状体及び前記下部筒状体のうちの他方には、前記通気兼取付用孔部に対応する結合用凸部が形成されており、前記結合用凸部が前記上部筒状体及び前記下部筒状体のうちの前記一方の複数の通気兼取付用孔部のうちのいずれかに嵌合されることに基づいて、閉状態の前記小径筒状体が閉状態の前記大径筒状体に対して挿入された状態で、前記上部筒状体と前記下部筒状体とが結合される、長尺状野菜収容容器である。
【００１９】
ここで、「前記上部筒状体及び前記下部筒状体のうちの一方である小断面筒状体」の「一方」と、「前記上部筒状体及び前記下部筒状体のうちの少なくとも一方」の「一方」とは、同一であってもよいし、異なっていてもよい。すなわち、小断面筒状体に結合用凸部が形成されていてもよいし、大断面筒状体に結合用凸部が形成されていてもよい。
「前記結合用凸部が…複数の通気兼取付用孔部のうちのいずれかに嵌合されることに基づいて、閉状態の前記小径筒状体が閉状態の前記大径筒状体に対して挿入された状態で、前記上部筒状体と前記下部筒状体とが結合される」とは、「いずれも開状態の上部筒状体と下部筒状体とが当該嵌合によって結合され、その後に、上部筒状体及び下部筒状体とも閉状態とされることによって、上部筒状体と下部筒状体とが一方が他方に挿入された状態で結合される」場合のほか、「いずれも閉状態の上部筒状体と下部筒状体とが、当該嵌合によって、両者のうちの一方が他方に挿入された状態で結合される」場合もあり得る。
【００２０】
この発明の長尺状野菜収容容器では、結合用凸部が上部筒状体及び下部筒状体のうちの前記一方の複数の通気兼取付用孔部のうちのいずれかに嵌合されることに基づいて、閉状態の小径筒状体が閉状態の大径筒状体に対して挿入された状態で、上部筒状体と下部筒状体とが結合される、
その際、結合用凸部がいずれの通気兼取付用孔部に対して嵌合されるかによって、容器本体の高さが調整可能であるため、容器本体内に収容されるネギ等の長尺状野菜の長さ（高さ）に応じて容器本体の高さが調整されることによって、必要以上に長尺状野菜収容容器の高さが高くなることが防止され、省スペース化が図られる。
また、同じく、その通気兼取付用孔部を通して、容器本体の内部の空気が外部の空気と入れ替わり、容器本体の内部に収容された長尺状野菜の呼吸が妨げられることが防止され、その長尺状野菜をより長期にわたって保存することが可能となる。
それとともに、その通気兼取付用孔部において取付材が取り付けられ、その取付材によって、この長尺状野菜収容容器が、冷蔵庫の内部等において取り付けられることが可能となる。
【００２１】
請求項６に係る発明は、請求項１〜請求項５のいずれかに係る発明の長尺状野菜収容容器であって、前記容器本体の底部は多孔性をなし、前記容器本体の下部には、水分を貯蔵し前記容器本体の底部を通して前記容器本体内の長尺状野菜に水分を補給する水分補給タンクが設けられている、長尺状野菜収容容器である。
【００２２】
この発明の長尺状野菜収容容器では、請求項１〜請求項５のいずれかに係る発明の長尺状野菜収容容器の作用効果に加えて、次の作用効果が得られる。
この発明の長尺状野菜収容容器では、容器本体の底部が多孔性をなしているとともに、容器本体の下部には水分補給タンクが設けられており、容器本体内に収容された長尺状野菜が、容器本体の多孔性の底部を通して、水分補給タンク内に貯蔵された水分を摂取することが可能となり得る。
こうして、容器本体の内部に収容された長尺状野菜をより長期にわたって保存することが可能となる。
【００２３】
請求項７に係る発明は、請求項１に係る発明の長尺状野菜収容容器であって、前記容器本体の下部には、水分を貯蔵し前記容器本体内の長尺状野菜に水分を補給する水分補給タンクが設けられ、その水分補給タンクは、前記水平方向において一対の分割筒状体のうちの一方のうちの下部の内側にのみ取り付けられ、他方には取り付けられていない、長尺状野菜収容容器である。
【００２４】
「取り付けられ」には、固定される場合に限らず、着脱可能に取り付けられる場合もある。このことは、請求項８に係る発明においても同様である。
【００２５】
この発明の長尺状野菜収容容器では、請求項１に係る発明の長尺状野菜収容容器の作用効果に加えて、次の作用効果が得られる。
この発明の長尺状野菜収容容器では、容器本体の下部に水分補給タンクが設けられているために、容器本体内に収容された長尺状野菜が、水分補給タンク内に貯蔵された水分を摂取することが可能となり得る。
こうして、容器本体の内部に収容された長尺状野菜をより長期にわたって保存することが可能となる。
また、この発明の長尺状野菜収容容器では、その水分補給タンクが、水平方向において一対の分割筒状体のうちの一方のうちの下部の内側にのみ取り付けられ、水平方向において一対の分割筒状体のうちの他方には取り付けられていないため、その水分補給タンクを容器本体から取り外すことなく、容器本体を開状態（一対の分割筒状体がヒンジ以外において離隔した状態）とすることができる。
このため、この長尺状野菜収容容器では、水分補給タンクを容器本体から取り外す手間をかけずに、容易に、長尺状の野菜を容器本体の内部に収容したり容器本体の内部から取り出したりすることができる。
【００２６】
なお、この発明に関連する発明として、請求項４に係る発明の特徴も有する発明が考えられる。
【００２７】
請求項８に係る発明は、請求項５に係る発明の長尺状野菜収容容器であって、前記容器本体の下部には、水分を貯蔵し前記容器本体内の長尺状野菜に水分を補給する水分補給タンクが設けられ、その水分補給タンクは、前記水平方向において一対の下部分割筒状体のうちの一方のうちの下部の内側にのみ取り付けられ、他方には取り付けられていない、長尺状野菜収容容器である。
【００２８】
この発明の長尺状野菜収容容器では、請求項５に係る発明の作用効果に加えて、請求項１に係る発明と比較して請求項７に係る発明に固有の作用効果と同様の作用効果が得られる。
【００２９】
請求項９に係る発明は、請求項１〜請求項８のいずれかに係る発明の長尺状野菜収容容器であって、その高さ方向における少なくとも一部において、下方から上方に向かうにつれて奥行寸法が短くされている、長尺状野菜収容容器である。
【００３０】
この発明の長尺状野菜収容容器では、請求項１〜請求項８のいずれかに係る発明の長尺状野菜収容容器の作用効果に加えて、次の作用効果が得られる。
この発明の長尺状野菜収容容器では、その高さ方向における少なくとも一部において、下方から上方に向かうにつれて奥行寸法が短くされているため、この長尺状野菜収容容器を収容するための隙間が、下方においてが奥行寸法が長く、上方においては奥行寸法が短いものである場合に、その隙間に適切に収容され得る。
【００３１】
請求項１０に係る発明は、請求項９に係る発明の長尺状野菜収容容器であって、その高さ方向における少なくとも一部において、下方から上方に向かうにつれて、各高さ位置における最も手前側の部分が奥方向に向かうように鉛直から傾斜している、長尺状野菜収容容器である。
【００３２】
この発明の長尺状野菜収容容器では、請求項９に係る発明の長尺状野菜収容容器の作用効果に加えて、次の作用効果が得られる。
この発明の長尺状野菜収容容器では、その高さ方向における少なくとも一部において、下方から上方に向かうにつれて、各高さ位置における最も手前側の部分が奥方向に向かうように鉛直から傾斜しているため、この長尺状野菜収容容器を収容するための隙間が、鉛直面（仮想鉛直面）を基準に、下方においてが手前側に大きく突出し、上方においては小さく突出しているものである場合に、その隙間に適切に収容され得る。
【図面の簡単な説明】
【００３３】
【図１】本発明の実施形態１の長尺状野菜収容容器を示す斜視図である。閉状態のものを示す。
【図２】本発明の実施形態１の長尺状野菜収容容器を示す斜視図である。開状態のものを示す。
【図３】本発明の実施形態１の長尺状野菜収容容器の使用状態を示す斜視図である。
【図４】本発明の実施形態２の長尺状野菜収容容器を示す斜視図である。結合状態のものを示す。
【図５】本発明の実施形態２の長尺状野菜収容容器を示す斜視図である。分離状態のものを示す。
【図６】本発明の実施形態２の長尺状野菜収容容器（分離状態）の部分拡大図である。
【図７】本発明の実施形態３の長尺状野菜収容容器を示す斜視図である。分離状態であり、上部筒状体及び下部筒状体とも開状態のものを示す。
【図８】本発明の実施形態４の長尺状野菜収容容器を示す斜視図である。閉状態のものを示す。
【図９】本発明の実施形態４の長尺状野菜収容容器を示す斜視図である。結合状態であり、上部筒状体及び下部筒状体とも開状態のものを示す。
【図１０】本発明の実施形態４の長尺状野菜収容容器を示す斜視図である。分離状態であり、上部筒状体及び下部筒状体とも開状態のものを示す。
【図１１】本発明の実施形態５の長尺状野菜収容容器を示す斜視図である。閉状態のものを示す。
【図１２】本発明の実施形態５の長尺状野菜収容容器を示す斜視図である。結合状態であり、上部筒状体及び下部筒状体とも開状態のものを示す。
【図１３】本発明の実施形態５の長尺状野菜収容容器を示す斜視図である。分離状態であり、上部筒状体及び下部筒状体とも開状態のものを示す。
【図１４】本発明の実施形態５の長尺状野菜収容容器の一部を示す拡大縦断面図である。
【図１５】本発明の実施形態６の長尺状野菜収容容器を示す斜視図である。閉状態のものを示す。
【図１６】本発明の実施形態６の長尺状野菜収容容器を示す斜視図である。開状態のものを示す。
【図１７】本発明の実施形態６の長尺状野菜収容容器の使用状態を示す斜視図である。
【図１８】本発明の実施形態６の長尺状野菜収容容器の使用状態を示す拡大縦断面図である。
【発明を実施するための形態】
【００３４】
［実施形態１］
次に、本発明の実施形態１について、図１〜図３に基づいて説明する。
図１及び図２に示すように、この長尺状野菜収容容器１０は、容器本体２０，水分補給タンク４０を有している。いずれも合成樹脂によって又は合成樹脂を主体として形成されている。
容器本体２０は、全体として、有蓋・有底の縦長の円筒状をしている。すなわち、容器本体２０は、中空円形断面を有する周壁部２５，円形状の上板部２６，円形状の底部２７を有している。
【００３５】
容器本体２０は、一対の分割筒状体２０ａ，２０ｂによって形成されている。
すなわち、容器本体２０は、左右に分割されて、一対の半円筒状の分割筒状体２０ａ，２０ｂとされており、各分割筒状体２０ａ，２０ｂは、半円弧状断面を有する周壁部２５ａ，２５ｂ，半円形状の上板部２６ａ，２６ｂ，半円形状の底部２７ａ，２７ｂを有している。
両分割筒状体２０ａ，２０ｂは、ヒンジ２４によって、閉状態（図１）と開状態（図２）との間を変位可能（開閉可能）に結合されている。
【００３６】
図１に示すように、容器本体２０は、閉状態において、全体として、前述したように、有蓋・有底の円筒状をなす。一方、図２に示すように、容器本体２０は、開状態において、容器本体２０（各分割筒状体２０ａ，２０ｂ）の内部の空間が開放される。
【００３７】
図１及び図２に示すように、各分割筒状体２０ａ，２０ｂの開閉側縁部（ヒンジ２４とは反対側の縁部）には、一対の係止部２８ａ，２８ｂが設けられている。
各係止部２８ａ，２８ｂは、丸棒状をなし、一方の係止部２８ｂの下端部が他方の係止部２８ａの上端部に対応する高さ関係において形成されている。また、係止部２８ｂの下端部及び係止部２８ａの上端部のうちの一方が凸状をなし、他方が凹状をなしている。
こうして、容器本体２０が閉状態にある際には、両係止部２８ａ，２８ｂの端部同士が凹凸嵌合した係止状態にあって、閉状態に維持される。一方、所定以上の力で開かれることによって、凹凸嵌合が外れて、非係止状態とされ、開状態になり得る。
【００３８】
底部２７（２７ａ，２７ｂ）は、メッシュ（網）状にされている。そこで、以下、底部２７（２７ａ，２７ｂ）のことをメッシュ状底部２７（２７ａ，２７ｂ）ともいうこととする。
【００３９】
容器本体２０（各分割筒状体２０ａ，２０ｂ）には、その高さ（長さ）方向に沿って、複数の通気兼取付用孔部３０が形成されている。
各通気兼取付用孔部３０を通して、容器本体２０（閉状態）の内部と外部との間を空気が流通する。
【００４０】
図１に示すように、各通気兼取付用孔部３０には、取付材（Ａ１，Ａ２，…）が取り付けられる。
取付材（Ａ１，Ａ２，…）としては、種々のものが考えられる。
第１の取付材Ａ１は、ほぼ逆Ｕ字状の形状を有し、その前部には嵌合部材Ｆが固定されている。嵌合部材Ｆは、十分な弾性を有する合成樹脂によって形成されている。嵌合部材Ｆは、例えばほぼ球状をなし、通気兼取付用孔部３０よりも若干大きく形成されている。
こうして、嵌合部材Ｆが通気兼取付用孔部３０に対して圧入されることによって、嵌合部材Ｆが弾性的に変形しつつ通気兼取付用孔部３０に対して嵌合し、第１の取付材Ａ１が容器本体２０（長尺状野菜収容容器１０）に対して取り付けられる。
第２の取付材Ａ２は、磁石を有し、その前部には嵌合部材Ｆが固定されている。その嵌合部材Ｆは、第１の取付材Ａ１の嵌合部材Ｆと同様である。そして、この第２の取付材Ａ２は、第１の取付材Ａ１と同様に、容器本体２０に対して取り付けられる。
【００４１】
図１及び図２に示すように、水分補給タンク４０は、容器本体２０に対して、着脱可能に取り付けられている。
水分補給タンク４０は、有底円筒状をしており、容器本体２０の外径に対応する内径を有している。
容器本体２０の下端部及びその近傍（その外周面）には、おねじ２９が形成されている。それに対応して、水分補給タンク４０の上端部及びその近傍（その内周面）には、めねじ４９が形成されている。こうして、水分補給タンク４０は、おねじ２９にめねじ４９が螺合することによって、容器本体２０に対して、着脱可能に取り付けられる。
水分補給タンク４０には、のぞき窓４２が形成されている。のぞき窓４２は、透明又はほぼ透明の合成樹脂によって形成されている。
水分補給タンク４０には、水を含んだスポンジ等の含水材Ｓが収容される。
【００４２】
次に、この長尺状野菜収容容器１０の使用方法及び作用効果について説明する。
図２に示すように、まず、水分補給タンク４０を容器本体２０から取り外し、容器本体２０を開状態とする。
開状態の容器本体２０に、ネギ等の長尺状野菜ＬＶを収容し、その後に、図１に示すように、容器本体２０は閉状態とする。
一方、図２に示すように、上記と相前後して、水分補給タンク４０には、必要に応じて、水を含んだスポンジ等の含水材Ｓを収容する。
その後に、図１に示すように、水分補給タンク４０を容器本体２０に対して取り付ける。
また、図１に示すように、いずれかのタイミングで、第１の取付材Ａ１を容器本体２０に対して取り付ける。すなわち、嵌合部材Ｆを、いずれかの高さの通気兼取付用孔部３０に嵌合させる。
【００４３】
そして、図３に示すように、第１の取付材Ａ１によって、冷蔵庫の扉Ｄ２の内側部分に長尺状野菜収容容器１０を取り付ける。
すなわち、冷蔵庫は、前述したように、本体部Ｂ、及び、扉Ｄ１，Ｄ２を有している。
扉Ｄ１，Ｄ２は、本体部Ｂの部屋ごとに設けられており、複数の棚を有する部屋に対しては、その複数の棚にまたがって設けられている。
このため、複数の棚を有する部屋に対する扉Ｄ２は、十分な高さを有している。
扉Ｄ２の内側には、卵収容ポケットＰ１，小物類収容ポケットＰ２，瓶類収容ポケットＰ３等が形成されている。
そして、第１の取付材Ａ１をいずれかのポケット（Ｐ１〜Ｐ３）等の一部に取り付けるようにして、長尺状野菜収容容器１０をほぼ鉛直な状態で冷蔵庫内に収容する。
【００４４】
以上のようにして、この長尺状野菜収容容器１０を用いることによって、ネギ等の長尺状野菜ＬＶをほぼ鉛直な状態で、冷蔵庫内に保存することができる。
【００４５】
また、この長尺状野菜収容容器１０に対して、第２の取付材Ａ２を取り付けた場合には、次のとおりである。すなわち、冷蔵庫の外面（金属）等に対して、第２の取付材Ａ２（その磁石）によって接着することができ、長尺状野菜収容容器１０をほぼ鉛直な状態で維持することができる。
【００４６】
また、図１に示すように、この長尺状野菜収容容器１０では、通気兼取付用孔部３０を通して、容器本体２０の内部の空気が外部の空気と入れ換わるため、容器本体２０内に収容されたネギ等の長尺状野菜ＬＶの呼吸が妨げられることが防止され、長尺状野菜ＬＶを長期間にわたって保存することができる。
【００４７】
また、この長尺状野菜収容容器１０では、水分補給タンク４０を有しているため、容器本体２０内に収容されたネギ等の長尺状野菜ＬＶ（その根）は、メッシュ状底部２７（図２）を通して、水分補給タンク４０内（水を含んだスポンジ等の含水材Ｓ）から水分を摂取することができる。
こうして、この長尺状野菜収容容器１０では、長尺状野菜ＬＶを長期間にわたって保存することができる。
【００４８】
［実施形態２］
次に、本発明の実施形態２について、実施形態１との相違点を中心に、図４〜図６に基づいて説明する。実施形態１と共通する要素については同一の符号を付し、実施形態１に対応する要素については対応する符号（「１００」を加算した符号）を付して、適宜、その説明を省略する。
【００４９】
この長尺状野菜収容容器１１０は、容器本体１２０，水分補給タンク４０を有している。
容器本体１２０は、全体として、有蓋・有底の縦長の円筒状をしている。すなわち、容器本体１２０は、中空円形断面を有する周壁部１２５Ａ，１２５Ｂ，円形状の上板部２６，円形状の底部（メッシュ状底部）２７を有している。
【００５０】
容器本体１２０は、上部筒状体１２０Ａ，下部筒状体１２０Ｂによって形成されている。
上部筒状体１２０Ａは、上板部２６（前述）を有する円筒状をなし、中空円形断面を有する周壁部１２５Ａを有している。下部筒状体１２０Ｂは、メッシュ状底部２７（前述）を有する円筒状をなし、中空円形断面を有する周壁部１２５Ｂを有している。
上部筒状体（小断面筒状体）１２０Ａは、下部筒状体（大断面筒状体）１２０Ｂよりも若干小径をしている。そして、上部筒状体１２０Ａが下部筒状体１２０Ｂに対して摺動可能に挿入されている。
【００５１】
下部筒状体１２０Ｂ（周壁部１２５Ｂ）の内周面には、所定の高さ間隔を隔てて、複数の突条部１２２Ｂが形成されている。各突条部１２２Ｂは、下部筒状体１２０Ｂの内周面を一巡するように形成されている。
それに対応して、上部筒状体１２０Ａ（周壁部１２５Ａ）の下端部の近傍には、１つの溝部１２２Ａが形成されている。溝部１２２Ａは、上部筒状体１２０Ａの外周面を一巡するように形成されている。
そして、上部筒状体１２０Ａが下部筒状体１２０Ｂに対して挿入され、溝部１２２Ａに対していずれかの突条部１２２Ｂが嵌合することによって、上部筒状体１２０Ａが所定の高さ位置に維持され、上部筒状体１２０Ａと下部筒状体１２０Ｂとは結合される。
溝部１２２Ａに対していずれの突状部１２２Ｂが嵌合するかによって、容器本体１２０（長尺状野菜収容容器１１０）の高さ調整がされる。
【００５２】
この長尺状野菜収容容器１１０は、次のように使用される。
まず、容器本体１２０を分離状態として、上部筒状体１２０Ａ又は下部筒状体１２０Ｂの内部にネギ等の長尺状野菜ＬＶを収容する。
次に、上部筒状体１２０Ａを下部筒状体１２０Ｂに対して挿入して結合状態とする。その際、溝部１２２Ａに対していずれかの突条部１２２Ｂを嵌合させ、上部筒状体１２０Ａを所定の高さ位置に維持させる。
こうして、長尺状野菜ＬＶの長さに応じて、長尺状野菜収容容器１１０の長さ（高さ）を適切なものとすることができる。
このため、この長尺状野菜収容容器１１０が必要以上に場所をとることが防止され、省スペース化が図られる。
【００５３】
［実施形態３］
次に、本発明の実施形態３について、実施形態１及び２との相違点を中心に、図７に基づいて説明する。実施形態１／実施形態２と共通する要素については同一の符号を付し、実施形態１／実施形態２に対応する要素については対応する符号（「２００／１００」を加算した符号）を付して、適宜、その説明を省略する。
【００５４】
この長尺状野菜収容容器２１０は、容器本体２２０，水分補給タンク４０（図７において図示省略。図１，図４等参照）を有している。
【００５５】
容器本体２２０は、上部筒状体２２０Ａ，下部筒状体２２０Ｂによって形成されている。
上部筒状体２２０Ａは、左右に一対の上部分割筒状体２２０Ａａ，２２０Ａｂによって形成されている。両上部分割筒状体２２０Ａａ，２２０Ａｂは、ヒンジ２４によって、閉状態と開状態との間を変位可能（開閉可能）に結合されている。
下部筒状体２２０Ｂ（下部分割筒状体２２０Ｂａ，２２０Ｂｂ）も同様である。
【００５６】
上部筒状体２２０Ａ（閉状態）は、下部筒状体２２０Ｂ（閉状態）よりも若干小径をしており、容器本体２２０は、結合状態及び分離状態になり得る。
下部筒状体２２０Ｂ（各下部分割筒状体２２０Ｂａ，２２０Ｂｂ）の内周面には、所定の高さ間隔を隔てて、複数の突条部２２２Ｂ（２２２Ｂａ，２２２Ｂｂ）が形成されている。
それに対応して、上部筒状体２２０Ａ（各上部分割筒状体２２０Ａａ，２２０Ａｂ）の下端部の近傍には、１つの溝部２２２Ａ（２２２Ａａ，２２２Ａｂ）が形成されている。
【００５７】
この長尺状野菜収容容器２１０では、次のように使用される。
まず、容器本体２２０が分離状態とされ、上部筒状体２２０Ａ及び下部筒状体２２０Ｂとも開状態とされた状態で、溝部２２２Ａに対していずれかの突条部２２２Ｂを嵌合させることによって、開状態の容器本体２２０を形成させる。
次に、その開状態の容器本体２２０にネギ等の長尺状野菜ＬＶを収容し、容器本体２２０を閉状態とする。
【００５８】
別の使用方法としては、次の方法がある。
まず、容器本体２２０が分離状態とされ、上部筒状体２２０Ａ及び下部筒状体２２０Ｂとも閉状態とされた状態で、その上部筒状体２２０Ａ又は下部筒状体２２０Ｂの内部にネギ等の長尺状野菜ＬＶを収容する。
次に、上部筒状体２２０Ａを下部筒状体２２０Ｂに対して挿入し、溝部２２２Ａに対していずれかの突条部２２２Ｂを嵌合させ、上部筒状体２２０Ａを所定の高さ位置に維持させる。
【００５９】
以上のように使用されることによって、実施形態１及び２の長尺状野菜収容容器１０，１１０と同様の効果を得ることができる。
【００６０】
［実施形態４］
次に、本発明の実施形態４について、図８〜図１０に基づいて説明する。
図８及び図９に示すように、この長尺状野菜収容容器３１０は、容器本体３２０，水分補給タンク３４０を有している。いずれも合成樹脂によって形成されている。
容器本体３２０は、全体として、有蓋・有底の縦長の円筒状をしている。すなわち、容器本体３２０は、中空円形断面を有する周壁部３２５，円形状の上板部３２６，円形状の底部３２７を有している。
【００６１】
図８〜図１０に示すように、容器本体３２０は、上部筒状体３２０Ａ，下部筒状体３２０Ｂによって形成されている。
上部筒状体３２０Ａは、合成樹脂によって一体的に形成されている。上部筒状体３２０Ａは、一対の上部分割筒状体３２０Ａａ，３２０Ａｂ、及び、両者間のヒンジ部３２４（ヒンジ）を有している。各上部分割筒状体３２０Ａａ，３２０Ａｂは、半円弧状断面を有する周壁部３２５Ａａ，３２５Ａｂ，半円形状の上板部３２６ａ，３２６ｂを有している。上部筒状体３２０Ａは、ヒンジ部３２４を中心に、閉状態と開状態との間を変位可能（開閉可能）である。
下部筒状体３２０Ｂも、同様に、一対の下部分割筒状体３２０Ｂａ，３２０Ｂｂ、及び、両者間のヒンジ部３２４（ヒンジ）を有している。各下部分割筒状体３２０Ｂａ，３２０Ｂｂは、半円弧状断面を有する周壁部３２５Ｂａ，３２５Ｂｂ，半円形状の底部３２７ａ，３２７ｂを有している。下部筒状体３２０Ｂは、ヒンジ部３２４を中心に、閉状態と開状態との間を変位可能（開閉可能）である。
【００６２】
上部筒状体（小断面筒状体）３２０Ａは、下部筒状体（大断面筒状体）３２０Ｂよりも若干小径をしている。
図８に示すように、容器本体３２０は、閉状態の下部筒状体３２０Ｂ（そのうちの上部）に対して、閉状態の上部筒状体３２０Ａ（そのうちの下部）が挿入された状態で、全体として、前述したように、有蓋・有底の円筒状をなす。
【００６３】
各下部分割筒状体３２０Ｂａ，３２０Ｂｂの開閉側縁部（ヒンジ部３２４とは反対側の縁部）には、一対の係止部３２８ａ，３２８ｂが設けられている。
各係止部３２８ａ，３２８ｂは、丸棒状をなし、一方の係止部３２８ｂの下端部が他方の係止部３２８ａの上端部に対応する高さ関係において形成されている。また、係止部３２８ｂの下端部及び係止部３２８ａの上端部のうちの一方が凸状をなし、他方が凹状をなしている。
こうして、容器本体３２０が閉状態にある際には、両係止部３２８ａ，３２８ｂの端部同士が凹凸嵌合した係止状態にあって、閉状態に維持される。一方、所定以上の力で開かれることによって、凹凸嵌合が外れて、非係止状態とされ、開状態になり得る。
【００６４】
底部３２７（３２７ａ，３２７ｂ）は、メッシュ（網）状にされている。そこで、以下、底部３２７（３２７ａ，３２７ｂ）のことをメッシュ状底部３２７（３２７ａ，３２７ｂ）ともいうこととする。
【００６５】
容器本体３２０（各上部分割筒状体３２０Ａａ，３２０Ａｂ，各下部分割筒状体３２０Ｂａ，３２０Ｂｂ）には、その高さ（長さ）方向に沿って、複数の通気兼取付用孔部３３０が形成されている。
すなわち、例えば、各下部分割筒状体３２０Ｂａ，３２０Ｂｂには、その幅方向における中央部分において、等間隔に６つ（６段）の通気兼取付用孔部３３０が形成されている。
一方、各上部分割筒状体３２０Ａａ，３２０Ａｂには、その幅方向における中央部分において、等間隔に４つ（４段）の通気兼取付用孔部３３０、及び、１つの結合用凸部３３２が形成されている。結合用凸部３３２は、４段の通気兼取付用孔部３３０よりも下側に形成されている。
各結合用凸部３３２は、各下部分割筒状体３２０Ｂａ，３２０Ｂｂの各通気兼取付用孔部３３０に対応して、外側に突出している。
各通気兼取付用孔部３３０を通して、容器本体３２０（閉状態）の内部と外部との間を空気が流通する。
各結合用凸部３３２は、下部筒状体３２０Ｂのいずれの段の各通気兼取付用孔部３３０Ｂに対しても嵌合され得る。その嵌合によって、上部筒状体３２０Ａと下部筒状体３２０Ｂとが結合される。
【００６６】
図８に示すように、各通気兼取付用孔部３３０には、取付材（Ａ１，Ａ２，…）が取り付けられる。
取付材（Ａ１，Ａ２，…）としては、種々のものが考えられる。第１の取付材Ａ１，第２の取付材Ａ２は、実施形態１において説明したものと同じものである。
【００６７】
図８及び図９に示すように、水分補給タンク３４０は、容器本体３２０に対して、着脱可能に取り付けられている。
水分補給タンク３４０は、有底円筒状をしており、容器本体３２０の外径に対応する内径を有している。
容器本体３２０の下端部及びその近傍（その外周面）には、おねじ３２９が形成されている。それに対応して、水分補給タンク３４０の上端部及びその近傍（その内周面）には、めねじ３４９が形成されている。こうして、水分補給タンク３４０は、おねじ３２９にめねじ３４９が螺合することによって、容器本体３２０に対して、着脱可能に取り付けられる。
水分補給タンク３４０には、のぞき窓３４２が形成されている。のぞき窓３４２は、透明又はほぼ透明の合成樹脂によって形成されている。
水分補給タンク３４０には、水を含んだスポンジ等の含水材Ｓが収容される。
【００６８】
次に、この長尺状野菜収容容器３１０の使用方法及び作用効果について説明する。
図９に示すように、まず、水分補給タンク３４０を容器本体３２０から取り外し、容器本体３２０（上部筒状体３２０Ａ，下部筒状体３２０Ｂ）を開状態とする。
さらには、図１０に示すように、上部筒状体３２０Ａの各結合用凸部３３２を下部筒状体３２０Ｂの通気兼取付用孔部３３０から外し、上部筒状体３２０Ａと下部筒状体３２０Ｂとを分離させる。
次に、図９に示すように、収容しようとするネギ等の長尺状野菜ＬＶの長さに対応させて、上部筒状体３２０Ａと下部筒状体３２０Ｂとを結合させる。すなわち、下部筒状体３２０Ｂの５段の通気兼取付用孔部３３０のうちの適切な段の各通気兼取付用孔部３３０に対して、上部筒状体３２０Ａの各結合用凸部３３２を嵌合させ、上部筒状体３２０Ａと下部筒状体３２０Ｂとを結合させる。
次に、開状態の容器本体３２０に、ネギ等の長尺状野菜ＬＶを収容し、その後に、図８に示すように、容器本体３２０は閉状態とする。
【００６９】
一方、図９に示すように、上記と相前後して、水分補給タンク３４０には、必要に応じて、水を含んだスポンジ等の含水材Ｓを収容する。
その後に、図８に示すように、水分補給タンク３４０を容器本体３２０に対して取り付ける。
また、図８に示すように、いずれかのタイミングで、第１の取付材Ａ１を容器本体３２０に対して取り付ける。すなわち、嵌合部材Ｆを、いずれかの高さの通気兼取付用孔部３３０に嵌合させる。
【００７０】
そして、図３に示すように、実施形態１の場合と同様に、第１の取付材Ａ１によって、冷蔵庫の扉Ｄ２の内側部分に長尺状野菜収容容器３１０を取り付ける。
こうして、この長尺状野菜収容容器３１０を用いることによって、ネギ等の長尺状野菜ＬＶをほぼ鉛直な状態で、冷蔵庫内に保存することができる。
また、同じく実施形態１の場合と同様に、この長尺状野菜収容容器３１０に対して、第２の取付材Ａ２を取り付けた場合には、冷蔵庫の外面（金属）等に対して、第２の取付材Ａ２（その磁石）によって接着することができ、長尺状野菜収容容器３１０をほぼ鉛直な状態で維持することができる。
【００７１】
また、図８に示すように、この長尺状野菜収容容器３１０では、通気兼取付用孔部３３０を通して、容器本体３２０の内部の空気が外部の空気と入れ換わるため、容器本体３２０内に収容されたネギ等の長尺状野菜ＬＶの呼吸が妨げられることが防止され、長尺状野菜ＬＶを長期間にわたって保存することができる。
【００７２】
また、この長尺状野菜収容容器３１０では、水分補給タンク３４０を有しているため、容器本体３２０内に収容されたネギ等の長尺状野菜ＬＶ（その根）は、メッシュ状底部３２７（図９）を通して、水分補給タンク３４０内（水を含んだスポンジ等の含水材Ｓ）から水分を摂取することができる。
こうして、この長尺状野菜収容容器３１０では、長尺状野菜ＬＶを長期間にわたって保存することができる。
【００７３】
［実施形態５］
次に、本発明の実施形態５について、実施形態４との相違点を中心に、図１１〜図１４に基づいて説明する。実施形態４と共通する要素については同一の符号を付し、実施形態４に対応する要素については対応する符号（「１００」を加算した符号）を付して、適宜、その説明を省略する。
【００７４】
図１１及び図１２に示すように、この長尺状野菜収容容器４１０は、容器本体４２０，水分補給タンク４４０を有している。
容器本体４２０は、全体として、有蓋の縦長の円筒状をしている。すなわち、容器本体４２０は、中空円形断面を有する周壁部４２５，円形状の上板部４２６を有している。
【００７５】
図１１〜図１３に示すように、容器本体４２０は、上部筒状体４２０Ａ，下部筒状体４２０Ｂによって形成されている。
上部筒状体４２０Ａは、合成樹脂によって一体的に形成されている。上部筒状体４２０Ａは、一対の上部分割筒状体４２０Ａａ，４２０Ａｂ、及び、両者間のヒンジ部４２４（ヒンジ）を有している。各上部分割筒状体４２０Ａａ，４２０Ａｂは、半円弧状断面を有する周壁部４２５Ａａ，４２５Ａｂ，半円形状の上板部４２６ａ，４２６ｂを有している。上部筒状体４２０Ａは、ヒンジ部４２４を中心に、閉状態と開状態との間を変位可能（開閉可能）である。
下部筒状体４２０Ｂも、同様に、一対の下部分割筒状体４２０Ｂａ，４２０Ｂｂ、及び、両者間のヒンジ部４２４（ヒンジ）を有している。各下部分割筒状体４２０Ｂａ，４２０Ｂｂは、半円弧状断面を有する周壁部４２５Ｂａ，４２５Ｂｂからなり、底部を有していない。下部筒状体４２０Ｂは、ヒンジ部４２４を中心に、閉状態と開状態との間を変位可能（開閉可能）である。
【００７６】
上部筒状体（小断面筒状体）４２０Ａは、下部筒状体（大断面筒状体）４２０Ｂよりも若干小径をしている。
図１１に示すように、容器本体４２０は、閉状態の下部筒状体４２０Ｂ（そのうちの上部）に対して、閉状態の上部筒状体４２０Ａ（そのうちの下部）が挿入された状態で、全体として、前述したように、有蓋の円筒状をなす。
【００７７】
各下部分割筒状体４２０Ｂａ，４２０Ｂｂの開閉側縁部（ヒンジ部４２４とは反対側の縁部）には、一対の係止部４２８ａ，４２８ｂが設けられている。
各係止部４２８ａ，４２８ｂは、丸棒状をなし、一方の係止部４２８ｂの下端部が他方の係止部４２８ａの上端部に対応する高さ関係において形成されている。また、係止部４２８ｂの下端部及び係止部４２８ａの上端部のうちの一方が凸状をなし、他方が凹状をなしている。
こうして、容器本体４２０が閉状態にある際には、両係止部４２８ａ，４２８ｂの端部同士が凹凸嵌合した係止状態にあって、閉状態に維持される。一方、所定以上の力で開かれることによって、凹凸嵌合が外れて、非係止状態とされ、開状態になり得る。
【００７８】
図１１〜図１３に示すように、容器本体４２０（各上部分割筒状体４２０Ａａ，４２０Ａｂ，各下部分割筒状体４２０Ｂａ，４２０Ｂｂ）には、その高さ（長さ）方向に沿って、複数の通気兼取付用孔部４３０が形成されている。
すなわち、例えば、各下部分割筒状体４２０Ｂａ，４２０Ｂｂには、その幅方向における中央部分において、等間隔に６つ（６段）の通気兼取付用孔部４３０が形成されている。
一方、各上部分割筒状体４２０Ａａ，４２０Ａｂには、その幅方向における中央部分において、等間隔に４つ（４段）の通気兼取付用孔部４３０、及び、１つの結合用凸部４３２が形成されている。結合用凸部４３２は、４段の通気兼取付用孔部４３０よりも下側に形成されている。
各結合用凸部４３２は、各下部分割筒状体４２０Ｂａ，４２０Ｂｂの各通気兼取付用孔部４３０に対応して、外側に突出している。
各通気兼取付用孔部４３０を通して、容器本体４２０（閉状態）の内部と外部との間を空気が流通する。
各結合用凸部４３２は、下部筒状体４２０Ｂのいずれの段の各通気兼取付用孔部４３０Ｂに対しても嵌合され得る。その嵌合によって、上部筒状体４２０Ａと下部筒状体４２０Ｂとが結合される。
【００７９】
図１２，図１３，図１４に示すように、水分補給タンク４４０は、上方が開口した有底円筒状をしている。水分補給タンク４４０には、水を含んだスポンジ等の含水材Ｓが収容される。
水分補給タンク４４０は、下部筒状体４２０Ｂのうちの一方の下部分割筒状体４２０Ｂｂにのみ固定されている。
すなわち、水分補給タンク４４０は、下部分割筒状体４２０Ｂｂの周壁部４２５Ｂｂのうちの下部の内側の面に固定されている。その一方で、水分補給タンク４４０は、他方の下部分割筒状体４２０Ｂａには固定されておらず、下部筒状体４２０Ｂが閉状態にある際には、水分補給タンク４４０は、その下部分割筒状体４２０Ｂａ（その周壁部４２５Ｂａのうちの下部の内側の面）に沿うのみである。
水分補給タンク４４０の上部には、フランジ４４６が形成されている。フランジ４４６は、円環状をなし、周壁部４４５の上端部から内側に向かって形成されている。フランジ４４６によって、水分補給タンク４４０に収容された含水材Ｓが水分補給タンク４４０から容易に抜け出ることが、防止されている。
水分補給タンク４４０には、のぞき窓４４２が形成されている。のぞき窓４４２は、透明又はほぼ透明の合成樹脂によって形成されている。
【００８０】
次に、この長尺状野菜収容容器４１０に特有の効果について説明する。
この長尺状野菜収容容器４１０では、水分補給タンク４４０が下部筒状体４２０Ｂのうちの１つの下部分割筒状体４２０Ｂｂにのみ固定されているため、水分補給タンク４４０を下部筒状体４２０Ｂ（容器本体４２０）から取り外すことなく、下部筒状体４２０Ｂを開状態とすることができる。
【００８１】
この実施形態の変形例として、容器本体（４２０）が上部筒状体（４２０Ａ）と下部筒状体（４２０Ｂ）とに分離されていない態様もある。
【００８２】
［実施形態６］
次に、本発明の実施形態６について、図１５〜図１８に基づいて説明する。
図１５及び図１６に示すように、この長尺状野菜収容容器５１０は、容器本体５２０，水分補給タンク５４０を有している。いずれも合成樹脂によって又は合成樹脂を主体として形成されている。
容器本体５２０は、全体として、有底で上部も塞がった縦長の筒状をしている。
容器本体５２０は、高さ位置に応じて円形又はほぼ楕円形断面を有する周壁部５２５，円形状の底部５２７を有している。
すなわち、容器本体５２０のうちの下側の約１／３の部分は、ほぼ円筒状をしており、容器本体５２０のうちの上側の約２／３の部分は、上方に向かうにつれて徐々に奥行寸法が小さくなるようにされており、容器本体５２０の上端部は、長尺状野菜収容容器５１０の幅方向に延びる直線状をした閉塞部５２６とされている。
【００８３】
容器本体５２０は、一対の分割筒状体５２０ａ，５２０ｂによって形成されている。
すなわち、容器本体５２０は、前後に分割されて、前側分割筒状体５２０ａ，後側分割筒状体５２０ｂとされている。各分割筒状体５２０ａ，５２０ｂは、周壁部５２５ａ，５２５ｂ，底部５２７ａ，５２７ｂを有している。
図１５に示すように、周壁部５２５ａ，５２５ｂは、容器本体５２０のうちの下側の約１／３の部分においては半円弧状をしており、容器本体５２０のうちの上側の約２／３の部分においては、上方に向かうにつれて湾曲深さが浅くなり、上端部においては直線状をしている。
【００８４】
図１５及び図１８等に示すように、容器本体５２０は奥行方向（前後方向）において対称ではなく（すなわち、前側分割筒状体５２０ａ，後側分割筒状体５２０ｂは対称形状をしているのではなく）、容器本体５２０のうちの上側の約２／３の部分は、後側方向に偏心している。
すなわち、容器本体５２０の最も後側（奥側）の部分はほぼ鉛直状とされている一方、容器本体５２０のうちの上側の約２／３の部分における最も前側（手前側）の部分は徐々に奥方向（後方向）に向かうように鉛直から傾斜している。
【００８５】
両分割筒状体５２０ａ，５２０ｂは、ヒンジ５２４によって、閉状態（図１５）と開状態（図１６）との間を変位可能（開閉可能）に結合されている。
【００８６】
図１５に示すように、容器本体５２０は、閉状態において、全体として、前述したように、有底で上部も塞がったほぼ筒状をなす。一方、図１６に示すように、容器本体５２０は、開状態において、容器本体５２０（各分割筒状体５２０ａ，５２０ｂ）の内部の空間が開放される。
【００８７】
図１５及び図１６等に示すように、各分割筒状体５２０ａ，５２０ｂの開閉側縁部（ヒンジ５２４とは反対側の縁部）には、一対の係止部５２８ａ，５２８ｂが設けられている。
各係止部５２８ａ，５２８ｂは、丸棒状をなし、一方の係止部５２８ｂの下端部が他方の係止部５２８ａの上端部に対応する高さ関係において形成されている。また、係止部５２８ｂの下端部及び係止部５２８ａの上端部のうちの一方が凸状をなし、他方が凹状をなしている。
こうして、容器本体５２０が閉状態にある際には、両係止部５２８ａ，５２８ｂの端部同士が凹凸嵌合した係止状態にあって、閉状態に維持される。一方、所定以上の力で開かれることによって、凹凸嵌合が外れて、非係止状態とされ、開状態になり得る。
【００８８】
底部（５２７ａ，５２７ｂ）は、メッシュ（網）状にされている。そこで、以下、底部５２７（５２７ａ，５２７ｂ）のことをメッシュ状底部（５２７ａ，５２７ｂ）ともいうこととする。
【００８９】
容器本体５２０（各分割筒状体５２０ａ，５２０ｂ）には、その高さ（長さ）方向に沿って、複数の通気兼取付用孔部５３０が形成されている。
各通気兼取付用孔部５３０を通して、容器本体５２０（閉状態）の内部と外部との間を空気が流通する。
【００９０】
図１５に示すように、各通気兼取付用孔部５３０には、取付材（Ａ１，Ａ２，…）が取り付けられる。
取付材（Ａ１，Ａ２，…）としては、種々のものが考えられる。
第１の取付材Ａ１は、ほぼ逆Ｕ字状の形状を有し、その前部には嵌合部材Ｆが固定されている。嵌合部材Ｆは、十分な弾性を有する合成樹脂によって形成されている。嵌合部材Ｆは、例えばほぼ球状をなし、通気兼取付用孔部５３０よりも若干大きく形成されている。
こうして、嵌合部材Ｆが通気兼取付用孔部５３０に対して圧入されることによって、嵌合部材Ｆが弾性的に変形しつつ通気兼取付用孔部５３０に対して嵌合し、第１の取付材Ａ１が容器本体５２０（長尺状野菜収容容器５１０）に対して取り付けられる。
第２の取付材Ａ２は、磁石を有し、その前部には嵌合部材Ｆが固定されている。その嵌合部材Ｆは、第１の取付材Ａ１の嵌合部材Ｆと同様である。そして、この第２の取付材Ａ２は、第１の取付材Ａ１と同様に、容器本体５２０に対して取り付けられる。
【００９１】
図１５及び図１６に示すように、水分補給タンク５４０は、容器本体５２０に対して、着脱可能に取り付けられている。
水分補給タンク５４０は、有底円筒状をしており、容器本体５２０の外径に対応する内径を有している。
容器本体５２０の下端部及びその近傍（その外周面）には、おねじ５２９が形成されている。それに対応して、水分補給タンク５４０の上端部及びその近傍（その内周面）には、めねじ５４９が形成されている。こうして、水分補給タンク５４０は、おねじ５２９にめねじ５４９が螺合することによって、容器本体５２０に対して、着脱可能に取り付けられる。
水分補給タンク５４０には、のぞき窓５４２が形成されている。のぞき窓５４２は、透明又はほぼ透明の合成樹脂によって形成されている。
水分補給タンク５４０には、水を含んだスポンジ等の含水材Ｓが収容される。
【００９２】
次に、この長尺状野菜収容容器５１０の使用方法及び作用効果について説明する。
図１６に示すように、まず、水分補給タンク５４０を容器本体５２０から取り外し、容器本体５２０を開状態とする。
開状態の容器本体５２０に、ネギ等の長尺状野菜ＬＶを収容し、その後に、図１５に示すように、容器本体５２０は閉状態とする。
一方、図１６に示すように、上記と相前後して、水分補給タンク５４０には、必要に応じて、水を含んだスポンジ等の含水材Ｓを収容する。
その後に、図１５に示すように、水分補給タンク５４０を容器本体５２０に対して取り付ける。
また、図１５に示すように、いずれかのタイミングで、第１の取付材Ａ１を容器本体５２０に対して取り付ける。すなわち、嵌合部材Ｆを、いずれかの高さの通気兼取付用孔部５３０に嵌合させる。
【００９３】
そして、図１７及び図１８に示すように、第１の取付材Ａ１によって、冷蔵庫の扉Ｄ１２の内側部分に長尺状野菜収容容器５１０を取り付ける。
すなわち、冷蔵庫は、前述したように、本体部Ｂ、及び、扉Ｄ１１，Ｄ１２を有している。
扉Ｄ１１，Ｄ１２は、本体部Ｂの部屋ごとに設けられている。
このため、複数の棚を有する部屋に対する扉Ｄ１２は、十分な高さを有している。
扉Ｄ１２の内側には、卵収容ポケットＰ１，小物類収容ポケットＰ２，瓶類収容ポケットＰ３等が形成されている。
卵収容ポケットＰ１及び小物類収容ポケットＰ２の突出度合いは、ほぼ同一である。すなわち、卵収容ポケットＰ１の手前側の部分、及び、小物類収容ポケットＰ２の手前側の部分は、扉Ｄ１２と平行なほぼ同一の鉛直面（これを扉側略鉛直面ＶＳということとする）上に位置している。
瓶類収容ポケットＰ３（その手前側の部分）は、卵収容ポケットＰ１，小物類収容ポケットＰ２（その手前側の部分）よりも手前側（本体部Ｂの側）に突出している。
【００９４】
本体部Ｂには、複数の棚板ＳＢが配設されているとともに、その最下部には野菜収容部（野菜室）ＶＲが設けられている。
瓶類収容ポケットＰ３に対応して、野菜収容部ＶＲ（その手前側の部分）は、棚板ＳＢ（その手前側の端部）よりも奥側（本体部Ｂにおける奥の側）に位置している。逆にいうと、棚板ＳＢ（その手前側の端部）は、野菜収容部ＶＲ（その手前側の部分）よりも手前側（本体部Ｂにおける手前側）に位置している。
棚板ＳＢ（その手前側の端部）は、瓶類収容ポケットＰ３の手前側のほぼ鉛直な前板ＦＢ（その奥側の面）よりも手前側（本体部Ｂにおける手前側であり、扉Ｄ１２における奥側）に突出している。
【００９５】
以上のようにして、この冷蔵庫内において、扉Ｄ１２と本体部Ｂとの間には、隙間Ｃが存在している。
その隙間Ｃについては、下方における奥行ＤＬよりも、上方における奥行ＤＨの方が短くなっている。
さらに詳しく述べれば、その隙間Ｃのうちの扉Ｄ１２の側は鉛直状をしており（扉側略鉛直面ＶＳ）、本体部Ｂの側は下方においては本体側に大きく突出しており（奥行：ＤＬ）、上方においては小さく突出している（奥行：ＤＨ）。
【００９６】
そして、長尺状野菜収容容器５１０をほぼ鉛直な状態で瓶類収容ポケットＰ３内に収容するとともに、第１の取付材Ａ１をいずれかのポケット（Ｐ１又はＰ２）等（その手前側の部分）に取り付ける（係止させる）。
【００９７】
以上のようにして、この長尺状野菜収容容器５１０を用いることによって、ネギ等の長尺状野菜ＬＶをほぼ鉛直な状態で、冷蔵庫内に保存することができる。
その際、この長尺状野菜収容容器５１０が前述した形状をしている（上方に向かうにつれて徐々に手前側の部分が奥側に向かうように奥行寸法が小さくなる）ため、冷蔵庫の扉Ｄ１２と本体部Ｂとの間の隙間Ｃに、適切に収容され得る。
【００９８】
また、この長尺状野菜収容容器５１０に対して、第２の取付材Ａ２を取り付けた場合には、次のとおりである。すなわち、冷蔵庫の外面（金属）等に対して、第２の取付材Ａ２（その磁石）によって接着することができ、長尺状野菜収容容器５１０をほぼ鉛直な状態で維持することができる。
【００９９】
また、図１５に示すように、この長尺状野菜収容容器５１０では、通気兼取付用孔部５３０を通して、容器本体５２０の内部の空気が外部の空気と入れ換わるため、容器本体５２０内に収容されたネギ等の長尺状野菜ＬＶの呼吸が妨げられることが防止され、長尺状野菜ＬＶを長期間にわたって保存することができる。
【０１００】
また、この長尺状野菜収容容器５１０では、水分補給タンク５４０を有しているため、容器本体２０内に収容されたネギ等の長尺状野菜ＬＶ（その根）は、メッシュ状底部５２７（図１６）を通して、水分補給タンク５４０内（水を含んだスポンジ等の含水材Ｓ）から水分を摂取することができる。
こうして、この長尺状野菜収容容器５１０では、長尺状野菜ＬＶを長期間にわたって保存することができる。
【０１０１】
この実施形態の変形例として、水分補給タンク（５４０）を有さない態様もある。その場合は、底部５２７（５２７ａ，５２７ｂ）はメッシュ状をしていない態様が好ましい。
また、容器本体（５２０）は、奥行方向（前後方向）において対称である（すなわち、前側分割筒状体５２０ａ，後側分割筒状体５２０ｂは対称形状をしている）という態様もある。
【０１０２】
なお、上記のものはあくまで本発明の数例の実施形態にすぎず、当業者の知識に基づいて種々の変更を加えた態様で本発明を実施できることはもちろんである。
【符号の説明】
【０１０３】
１０，１１０，２１０，３１０，４１０，５１０  長尺状野菜収容容器
２０，１２０，２２０，３２０，４２０，５２０  容器本体
２０ａ，２０ｂ，５２０ａ，５２０ｂ  分割筒状体
１２０Ａ，２２０Ａ，３２０Ａ，４２０Ａ  上部筒状体
１２０Ｂ，２２０Ｂ，３２０Ｂ，４２０Ｂ  下部筒状体
２２０Ａａ，２２０Ａｂ，３２０Ａａ，３２０Ａｂ，４２０Ａａ，４２０Ａｂ  上部分割筒状体
２２０Ｂａ，２２０Ｂｂ，３２０Ｂａ，３２０Ｂｂ，３２０Ｂａ，３２０Ｂｂ  下部分割筒状体
２４，５２４  ヒンジ    ３２４，４２４  ヒンジ部（ヒンジ）
２７，３２７，５２７  底部
３０，３３０，４３０，５３０  通気兼取付用孔部
３３２，４３２  結合用凸部
４０，３４０，４４０，５４０  水分補給タンク
ＬＶ  長尺状野菜
Ａ１  第１の取付材
Ａ２  第２の取付材
【図１】
2010036985.tif 000003
【図２】
2010036985.tif 000004
【図３】
2010036985.tif 000005
【図４】
2010036985.tif 000006
【図５】
2010036985.tif 000007
【図６】
2010036985.tif 000008
【図７】
2010036985.tif 000009
【図８】
2010036985.tif 000010
【図９】
2010036985.tif 000011
【図１０】
2010036985.tif 000012
【図１１】
2010036985.tif 000013
【図１２】
2010036985.tif 000014
【図１３】
2010036985.tif 000015
【図１４】
2010036985.tif 000016
【図１５】
2010036985.tif 000017
【図１６】
2010036985.tif 000018
【図１７】
2010036985.tif 000019
【図１８】
2010036985.tif 000020